(57)【特許請求の範囲】
【請求項１】
布基礎形成時に対向して設置される二枚の型枠（３，３）の上面に架け渡す帯板状の架橋部材（１）の中心に、アンカーボルト（５）を挿通してこれを直行状態で保持できるアンカー保持部（６）を備え、前記架橋部材（１）には、アンカー保持部（６）に対して対称な位置二箇所に「く」の字形の切り込みが入れてあり、その切り込み部分を直角に曲げ起こすことで三角形の墨線覗き窓（７，７）が形成され、その曲げ起こした部分が、前記型枠（３，３）の外側縁に係止する第二狭持片（８，８）となっていることを特徴とするアンカーボルト保持金具。
【請求項２】
前記架橋部材（１）の両端には、前記墨線覗き窓（７，７）に形成した第二狭持片（８，８）と反対方向に曲げ起こした狭持片（４，４）を備えていることを特徴とする請求項１記載のアンカーボルト保持金具。
【発明の詳細な説明】
【０００１】
【発明の属する技術分野】
本発明は布基礎にアンカーボルトを埋め込む際に、アンカーボルトを保持しておくための金具に関するものである。
【０００２】
【従来の技術】
木造建築の布基礎には、土台を固定するためのアンカーボルトが布基礎に埋め込む形で設置される。布基礎２は図７に示すように、捨てコンクリート２０上に二枚一組の型枠３，３を間隔を空けて向かい合わせて立設し、その間隔にコンクリートを流し込んで形成される。これまでアンカーボルト５の設置は、流し込んだコンクリートが固まらないうちにアンカーボルト５を根元から布基礎２に突っ込み、顔を出したアンカーボルト５の先端部分を二枚の型枠３，３の間隔が広がらないように型枠上面に横架してある固定部材２１に紐でくくり付けておかれ、コンクリートが固まるまでアンカーボルト５がずれないように一応は固定されていた。
【０００３】
アンカーボルトは、こうして作業者の目分量を頼りに布基礎中央部に設置されるので、アンカーボルトの布基礎上面から突出する位置や突出長さの精度はかなり大ざっぱなものであった。また、コンクリートが固まるまでアンカーボルトがしっかりと保持されていないために、アンカーボルトが沈み込んでいったり、傾いてしまうことも多くあった。そのため布基礎上に土台を据え付ける作業をする際、土台のアンカーボルトを通すための多数の穴は、現場でアンカーボルトの正確な位置を土台上に写し取った上で空けなければならなかった。
【０００４】
【発明が解決しようとする課題】
これまでアンカーボルトは、そのように多少いい加減な状態でも見過ごされてきたが、建築物の品質向上を求める消費者の声に応え、耐震性能を向上させるために、基礎と建物を繋ぐアンカーボルトの重要性に見直しがなされ、アンカーボルトの位置が布基礎の幅の中心からどれだけの範囲になければならないとか、柱から所定の位置に必ずアンカーボルトを設けなければならないといった規定が設けられ、建築業者には規定通り施工されているか表示する義務が課せられることとなり、これまで通りの方法ではこの規定をクリアできないことが明らかになった。
【０００５】
本発明はこうした実情に鑑みて成されたものであって、布基礎にアンカーボルトを正しい位置に正しい姿勢で設置するための使い勝手の良いアンカーボルト保持金具を提供することを目的とする。
【０００６】
【課題を解決するための手段】
上記の課題を達成するために、本発明のうち請求項１記載の発明によるアンカーボルト保持金具は、布基礎形成時に対向して設置される二枚の型枠の上面に架け渡す帯板状の架橋部材の中心に、アンカーボルトを挿通してこれを直行状態で保持できるアンカー保持部を備え、前記架橋部材には、アンカー保持部に対して対称な位置二箇所に「く」の字形の切り込みが入れてあり、その切り込み部分を直角に曲げ起こすことで三角形の墨線覗き窓が形成され、その曲げ起こした部分が、前記型枠の外側縁に係止する第二狭持片となっていることを特徴とする。
【０００７】
このアンカーボルト保持金具は、二枚の型枠の上面に架け渡す状態で固定して使用するもので、両側の挟持片の間隔は型枠及び布基礎の全幅に合わせてあり、アンカー保持部はその中心に設けてあるから、アンカーボルトは必ず布基礎の幅のちょうど真ん中に固定される。挟持片は型枠の内側縁に係止するようにしても目的は達せられるが、外側縁に係止させた場合には本金具が、型枠どうしの間隔が広がるのを防ぐ役目も果たすのでより好ましい。アンカー保持部は、架橋部材に単にアンカーボルトを通す穴を空けただけでも良いが、直行する状態が維持されるようにアンカーボルトをガイドしていることが好ましい。無論、アンカーボルトの出入りは自由に調整でき、任意の高さ位置で固定できるものとする。その固定方法については種々考えられるが、具体的な構造については実施形態の所で述べる。また墨線覗き窓は、本発明の金具を型枠上面に当てがう際に、型枠上面に図面の指示に基づいて予め引いておいたアンカーボルトの位置を示す墨線を覗き見るためのものであり、これによってアンカーボルトの位置を墨線に正確に合わせることができる。墨線覗き窓の形状については、墨線覗き窓の中心と墨線を合わせ易いように、架橋部材の幅方向の中心線に対して対称な三角形の墨線覗き窓としている。なお三角形の墨線覗き窓は、架橋部材の表面に「く」の字状の切り込みを入れることで形成され、頂点が架橋部材の中心を向いており、この頂点の対辺を直角に折り曲げることで三角形の第二狭持片が形成される。
【０００８】
請求項１記載の発明によるアンカーボルト保持金具は、上記の構成に加えて、前記墨線覗き窓がアンカー保持部に対して対称な位置２箇所に設けてあることを特徴とする。このように形成すると、アンカーボルトを墨線の位置に迅速、且つより正確に合わせることができる。
【０００９】
また請求項２記載の発明のように、前記架橋部材の両端には、前記墨線覗き窓に形成した第二狭持片と反対方向に曲げ起こした狭持片を備えていることで、架橋部材の両面各々に間隔の異なる二種類の挟持片が設けられることになり、両面を使い分けて二種類の幅の布基礎に対応でき、幅広い利用が可能となる。ちなみに布基礎の幅は略１２ｃｍと１０．５ｃｍの二通りに限られており、型枠の厚みも略６ｃｍに決まっているので、本発明のように二通りの間隔の挟持片を備えていれば、一つの金具でほとんど全ての布基礎に対応でき、挟持片の間隔をいちいち調整する手間もいらない。
【００１０】
【発明の実施の形態】
以下、本発明によるアンカーボルト保持金具の実施の形態を図面に基づいて説明する。まず図１に示したのが本発明のアンカーボルト保持金具の実施形態であって、帯板状の架橋部材１の中心に、アンカーボルトを直行状態で保持するアンカー保持部６を形成したものである。
【００１１】
型枠架橋部材１は帯鋼を使用したものであり、両端を１〜２ｃｍ程度同じ方向に直角に折り曲げて挟持片４，４を形成してある。さらに、両端から同じ距離だけ内側に入ったところに、中心に向けてくの字形の切り込みを入れ、その切り込みの内側の肉を挟持片４，４とは反対側に直角に曲げ起こすことで三角形の墨線覗き窓７，７と、同じく三角形の第二挟持片８，８がそれぞれ２ヶずつ形成してある。架橋部材１の中心にはアンカー保持部となるガイドパイプ６が挿通されて固着してあり、該ガイドパイプ６には挿通したアンカーボルト５を固定するために、側方より蝶ネジ１１が捩じ込んである。なお図中の符号１２は本金具を型枠に固定するための釘を通す穴である。
【００１２】
このように形成されたアンカーボルト保持金具の使用状態について説明する。図２に示す通り、対向するように立設した２枚の型枠３，３の上面には、図面の指示に従ってアンカーボルト５を設置する位置に予め墨線１３を入れて印を付けておく。本金具のガイドパイプ６にアンカーボルト５を挿通し、蝶ネジ１１を仮締めする。次いで挟持片４，４若しくは第二挟持片８，８を型枠３，３の縁に引っ掛けて型枠３，３上面に架け渡すようにして架橋部材１を当てがい、墨線覗き窓７，７の中心に墨線１３がくる位置までスライドさせ、その位置で釘１５を打ち込んで架橋部材１を型枠３，３に固定する。その後、型枠３，３の間にコンクリートを流し込み、アンカーボルト５の出入りを最終的に調整して蝶ネジ１１を締め付ける。コンクリートが固まってから本金具、及び型枠３，３を取り外せばアンカーボルト５は布基礎の幅方向の中心、長手方向についても図面に指示された通りの正確な位置に、垂直に立設されることとなる。
【００１３】
上記の実施形態では蝶ネジ１１を用いてアンカーボルト５を固定していたが、蝶ネジ１１を使用せずに図３（イ）に示すように、アンカーボルト５に螺合したナット１６をガイドパイプ６上に係止させたり、同図（ロ）に示すように洗濯バサミのような挟持具１７でアンカーボルト５を挟むことでアンカーボルト５の落ち込みを防止しても良い。また、架橋部材１は両面に間隔の違う２種類の挟持片４，４、第二挟持片８，８を備えているので、両面を使い分けて２種類の幅（１２ｃｍ，１０．５ｃｍ）の布基礎２に対応できる。さらに図４に示すように、アンカーボルト５がそのままでは型枠３，３の上づらまで届かない場合には、先端に雌ネジを切った延長部材１８をアンカーボルト５の先端に連結することで、本発明のアンカーボルト保持金具が利用できる状態となる。
【００１４】
図５に示したのは、本発明によるアンカーボルト保持金具の別の実施形態である。図１のものと相違する点は、ガイドパイプ６が切り欠いてあるとともにアンカーボルトを挿通する穴が、アンカーボルト先端の折れ曲った部分が通せるように長穴９となっている点である。このように形成してあると、架橋部材１のみを先に型枠３，３の上面に固定しておき、コンクリートを流し込んだ後でアンカーボルト５を差し入れることができる。アンカーボルト５の固定は図６に示すように、長穴９の空きスペースに楔１０を打ち込むことでなされる。
【００１５】
【発明の効果】
請求項１記載の発明によるアンカーボルト保持金具によれば、アンカーボルトを布基礎の幅のちょうど真ん中に垂直に立設することができ、耐震性能の高い建物が構築できる。また墨線覗き窓によって、型枠に予め記した墨線にアンカーボルトの位置を正確に合わせることができる。よって図面に指示された通りの位置にアンカーボルトが設置されるので、土台のアンカーボルトを通す穴を現合ではなく工場で予め空けておくことが可能となり、作業時間を大いに短縮できる。
【００１６】
また２箇所の墨線覗き窓を有することで、アンカーボルトの位置決めをより正確且つ迅速に行うことができる。
【００１７】
しかも墨線覗き窓と第二挟持片とが実質的に同時に形成されるので、本金具をより安価に提供できる。
【００１８】
請求項２記載の発明によれば、架橋部材の両面を使い分けることでほとんど全ての布基礎に対応できるものとなる。
【図面の簡単な説明】
【図１】（イ）（ロ）（ハ）
本発明によるアンカーボルト保持金具の実施形態を示す上面図、正面図、及び（イ）図のＡ−Ａ断面図である。
【図２】本発明によるアンカーボルト保持金具の使用状態を示す斜視図である。
【図３】（イ）（ロ）
アンカーボルトの固定方法の別の例を示す正面図である。
【図４】延長部材とともにアンカーボルト保持金具を使用する際の正面図である。
【図５】（イ）（ロ）（ハ）
本発明によるアンカーボルト保持金具の別の実施形態を示す上面図、正面図、及び（イ）図のＡ−Ａ断面図である。
【図６】（イ）（ロ）
図５に示したアンカーボルト保持金具の使用状態を示す上面図と正面図である。
【図７】従来のアンカーボルト設置状態を示す斜視図である。
【符号の説明】
１  架橋部材
２  布基礎
３  型枠
４  挟持片
５  アンカーボルト
６  ガイドパイプ（アンカー保持部）
７  墨線覗き窓
８  第二挟持片（挟持片）
９  長穴
１０  楔
【図１】
0004327968.tif 000002
【図２】
0004327968.tif 000003
【図３】
0004327968.tif 000004
【図４】
0004327968.tif 000005
【図５】
0004327968.tif 000006
【図６】
0004327968.tif 000007
【図７】
0004327968.tif 000008